(57)【要約】手乾燥装置は、本体（３０）と、本体（３０）内部の前面（３０ａ）側に設けられた電動送風機（２）と、下面（２１）に設けられた吹出ノズル（３）と、を有している。そして下面（２１）は、背面（３０ｂ）から前面（３０ａ）に向けて上がり勾配の傾斜面である。また底面吸込口（７）からファン吸込口（６）までの吸込風路（９）の一部が下面（２１）に沿って設けられ、下面（２１）に沿った吸込風路（９）に吸込風路（９）を横切るフィルターケース（１１）が配置されている。
2014156091.tif 000002
【特許請求の範囲】
【請求項１】
前面、背面、および下面を備えた本体と、
前記本体内部の前記前面側に設けられた電動送風機と、
前記下面に設けられた吹出ノズルと、を有し、
前記吹出ノズルから吹出された吹出気流により手を乾燥させる手乾燥装置であって、
前記下面は、前記背面から前記前面に向けて上がり勾配の傾斜面であるとともに前記下面の前記背面側に底面吸込口が設けられ、
前記底面吸込口から前記電動送風機のファン吸込口までの吸込風路の一部が前記下面に沿って設けられ、
前記下面に沿った前記吸込風路に前記吸込風路を横切るフィルターケースが配置されたことを特徴とする手乾燥装置。
【請求項２】
前記フィルターケースは、上端部が下端部より前記背面に近いことを特徴とする請求項１記載の手乾燥装置。
【請求項３】
前記フィルターケース前後の前記吸込風路の気流は互いに対向することを特徴とする請求項１記載の手乾燥装置。
【請求項４】
前記下面に前記フィルターケースを着脱する着脱口が設けられたことを特徴とする請求項１記載の手乾燥装置。
【請求項５】
前記本体はさらに、前記下面から下方に前記背面に連なる乾燥室壁面と、前記乾燥室壁面に連なる水受とを備え、前記水受と前記下面と前記乾燥室壁面とにより囲まれた乾燥室が形成され、前記下面に前記フィルターケースを着脱する着脱口が設けられ、前記フィルターケースは前記背面に対して傾斜し前記着脱口から前記乾燥室の手挿入口に向かって着脱することを特徴とする請求項１記載の手乾燥装置。
【請求項６】
前記乾燥室壁面下方の前記水受に水受吸込口が設けられ、
前記水受の底部に排水口が設けられ、
前記水受の下方かつ前記水受吸込口の直下を避けて、前記排水口から排水された水を受ける水受けカップが備えられたことを特徴とする請求項５記載の手乾燥装置。
【請求項７】
前記水受吸込口の直下の前記水受けカップに水受けカップフィルターケースが設けられたことを特徴とする請求項６記載の手乾燥装置。
【請求項８】
前記水受と前記水受けカップとの間に前記水受けカップの上面を覆う蓋形状であり前記水受けカップが着脱する水受けカップカバーが設けられ、
前記水受けカップカバーに排水開口が設けられ、
前記排水口から排水された水は前記排水開口を通って前記水受けカップに流れることを特徴とする請求項６記載の手乾燥装置。
【発明の詳細な説明】
【技術分野】
【０００１】
本発明は、手乾燥装置に関する。
【背景技術】
【０００２】
近年、洗面空間の高級化、多様化、および省エネルギー意識の高まりから、手乾燥装置が様々な所に設置されるようになってきている。このような手乾燥装置は、洗面空間全体のデザインの調和、および狭い空間へ設置する目的から、製品の薄型化が望まれている。【０００３】
従来の手乾燥装置は濡れた手を乾かす場合、手乾燥室内に挿入した手に吹出気流を衝突させて表面の水滴を吹き飛ばし、手を乾燥させている。吹き飛ばされた水滴は周囲に飛散するため、手乾燥装置の空気吸込口は飛散した水滴が入りにくい位置に設けられる必要がある。そこで、従来の手乾燥装置では底面に空気吸込口が設けられ、手乾燥室の背面を吸込気流が通る構造とし、飛散した水滴が空気吸込口から吸込まれにくくしていた（例えば、特許文献１参照）。【０００４】
以下、従来の手乾燥装置の側面断面図である図７を参照しながら説明する。図７に示すように手乾燥装置は壁面１０１に取付けられ、高圧（０．５ｋＰａ〜１５ｋＰａ）の気流を送出する電動送風機１０２が内部に備えられている。また、外部に向かって開口した乾燥室１１１の上面には、挿入された手１１２を検出するセンサ１１３が備えられている。センサ１１３が手１１２を検出すると、電動送風機１０２は運転を開始する。【０００５】
また、電動送風機１０２のファン吸込口１０５と壁面１０１との間の背面空間１０９に、フィルターを備えたフィルターケース１０８が配置されている。電動送風機１０２が運転を開始すると、手乾燥装置の底面の壁面１０１寄りに設けられた吸込口１０３から吸込気流１０４が流入する。吸込気流１０４は、乾燥室１１１の背面側を通って本体の背面側に導かれる。【０００６】
そして吸込気流１０４は、背面側から手前側に向かってフィルターケース１０８に流入する。吸込気流１０４はフィルターケース１０８を通過する時、気流の方向が変えられフィルターケース１０８の上部から流出する。フィルターケース１０８を通過した吸込気流１０４は、ファン吸込口１０５から手乾燥装置の本体内に流入する。そして、本体内に流入した吸込気流１０４は電動送風機１０２によって昇圧された後、手挿入口１１０の近傍に設けられたノズル１０６から吹出気流１０７として送出される。
【先行技術文献】
【特許文献】
【０００７】
【特許文献１】特開２００４−２９０５２９号公報
【発明の概要】
【０００８】
このような従来の手乾燥装置では、電動送風機１０２の下部空間が乾燥室１１１、および手１１２を検知するセンサ１１３のスペースとして利用されている。そして電動送風機１０２のファン吸込口１０５と、本体の背面との間の背面空間１０９にフィルターを備えたフィルターケース１０８が配置されている。そのため本体が薄型化された場合、背面空間１０９が小さくなるに伴いフィルターケース１０８も小さくする必要があった。その結果、フィルターケース１０８近傍の気流速が上昇し、フィルターケース１０８、すなわち吸込風路の圧力損失が大きくなるという課題があった。
【０００９】
そのため本発明の手乾燥装置は前面、背面、および下面を備えた本体と、本体内部の前面側に設けられた電動送風機と、下面に設けられた吹出ノズルとを有し、吹出ノズルから吹出した吹出気流により手を乾燥させる。下面は、背面から前面に向けて上がり勾配の傾斜面である。また、下面の背面側に底面吸込口が設けられ、底面吸込口から電動送風機のファン吸込口までの吸込風路の一部が下面に沿って設けられている。そして、下面に沿った吸込風路に吸込風路を横切るフィルターケースが配置されている。
【００１０】
このような手乾燥装置は、下面上方に吸込風路およびフィルターケースが配置される。そのため本体が薄型化されても、吸込風路およびフィルターケースのスペースは十分に確保される。その結果、フィルターケース近傍の気流速は増加せず、吸込風路の圧力損失も大きくなることがない。
【図面の簡単な説明】
【００１１】
【図１】図１は、本発明の実施の形態１の手乾燥装置の側面断面図である。
【図２】図２は、同手乾燥装置の背面斜視図である。
【図３】図３は、本発明の実施の形態２の手乾燥装置の側面断面図である。
【図４】図４は、同手乾燥装置の背面斜視図である。
【図５】図５は、本発明の実施の形態３の手乾燥装置の側面断面図である。
【図６】図６は、同手乾燥装置の一部分解背面斜視図である。
【図７】図７は、従来の手乾燥装置の側面断面図である。
【発明を実施するための形態】
【００１２】
以下、本発明の実施の形態について図面を参照しながら説明する。
【００１３】
（実施の形態１）
図１は本発明の実施の形態１の手乾燥装置の側面断面図、図２は同手乾燥装置の背面斜視図である。図１および図２に示すように手乾燥装置は、本体３０と、電動送風機２と、吹出ノズル３とを有している。
【００１４】
ここで本体３０は前面３０ａ、背面３０ｂ、および下面２１を備えた箱型である。また背面３０ｂが壁面１に対向し、本体３０は壁面１に備え付けられている。電動送風機２は、本体３０の内部の前面３０ａ側に設けられている。吹出ノズル３は、下面２１に設けられている。そして手乾燥装置は、吹出ノズル３から吹出された吹出気流４により手５を乾燥させる。
【００１５】
また下面２１には、吹出ノズル３よりも背面３０ｂ側に手５を検知するセンサ４１が備えられている。センサ４１が手５を検出すると、電動送風機２は運転を開始する。電動送風機２は、ターボ型の遠心送風機である。また電動送風機２は、本体３０内にファン吸込口６を背面３０ｂ側に向けて備えられ、本体幅方向の中央付近に配置されている。
【００１６】
電動送風機２が運転されると、電動送風機２に流入した空気８が昇圧され、およそ０．５ｋＰａ〜１５ｋＰａの高圧の吹出気流４となって吹出ノズル３から本体３０の下方に向けて送出される。使用者は手乾燥装置の正面に立って、手洗い後の濡れた手５を吹出ノズル３の下側にかざす。吹出ノズル３から送出された吹出気流４が濡れた手５に衝突し、水分を吹き飛ばし、蒸発させて手５を乾燥させる。
【００１７】
ここで下面２１は、設置された壁面１に向かって電動送風機２から遠ざかる方向に傾斜している。言い換えると、下面２１は背面３０ｂから前面３０ａに向けて上がり勾配の傾斜面である。このときの下面２１の傾斜角５０は金型の抜き勾配と、電動送風機２の配置スペースの確保とが考慮される必要があり、２°〜２０°の範囲である。
【００１８】
また下面２１の、向かって左右両側には底面吸込口７が設けられている。ここで「向かって」とは、使用者が手５を挿入する際、本体３０に正対する方向である。すなわち底面吸込口７が、下面２１の背面３０ｂ側に設けられている。
【００１９】
そして、底面吸込口７から電動送風機２のファン吸込口６までの吸込風路９が設けられている。また底面吸込口７は、壁面１近傍に設けられている。さらに吸込風路９の一部は、下面２１に沿って設けられている。
【００２０】
図２に示すように手乾燥装置が運転されたとき、底面吸込口７から吸い込まれた空気８は吸込風路９内を通り、下面２１に沿って左右から中央部に集ってくる。このように本体３０の下部中央部は、吸込風路９の合流部１０となっている。合流部１０は、本体３０の背面３０ｂ側から前面３０ａ側に引き込まれて形成されている。そして、合流部１０にフィルターケース１１が設けられている。そのため、底面吸込口７から流入した直後の風速の早い気流１９は、直ぐにフィルターケース１１に流入しない。このようにフィルターケース１１は、下面２１に沿った吸込風路９に、吸込風路９を横切って配置されている。言い換えれば、吸込風路９の下面２１に沿った部分にフィルターケース１１が突出して配置されている。フィルターケース１１には、フィルターが着脱可能に配置されている。
【００２１】
また図１に示すようにフィルターケース１１は、吸込面が本体３０の背面３０ｂに対向して設けられている。そして、フィルターケース１１前後の吸込風路９の気流１９は、下面２１に沿って流れ、互いに対向している。すなわち吸込風路９は、整流壁面２２を隔てて対向している。またフィルターケース１１は、背面３０ｂ側の上端部１１ａが背面３０ｂ側の下端部１１ｂよりも背面３０ｂに近く、傾斜する下面２１に垂直、つまり鉛直方向に対して傾けて配置されている。そのため気流１９が通過するフィルターケース１１の面は、表面積が大きくなる。その結果、フィルターケース１１を通過する気流１９の速度が大きくなることがなく、圧力損失も大きくなることがない。
【００２２】
またフィルターケース１１の下端部１１ｂと壁面１との距離は、ファン吸込口６と壁面１との距離よりも大きくしてもよい。つまり、図１に示すように壁面１とファン吸込口６との距離を距離Ａ、壁面１とフィルターケース１１の下端部１１ｂとの距離を距離Ｂ、壁面１と底面吸込口７の吸込口壁面９ａとの距離を距離Ｃとすると、距離Ｂは距離Ａ、距離Ｃより長くしてもよい。このような構成により、底面吸込口７から電動送風機２に向かって吸込風路９が迂回している。その結果、電動送風機２の回転音、および吸込風路９の気流１９の音が本体３０の外に漏れにくくなり、遮音性が高くなる。また万が一、底面吸込口７から異物が侵入した場合でも、電動送風機２内への異物の侵入が抑制されるため、製品寿命が高められる。
【００２３】
また下面２１には、フィルターケース１１の着脱口１８が設けられ、フィルターケース１１は鉛直方向に対して斜め手前側に下面２１から着脱できる。そのため吸込風路９は、複雑な構成にならない。
【００２４】
フィルターケース１１通過後の吸込風路９は、本体３０内部において電動送風機２に沿って設けられている。そして吸込風路９を流れる空気８は、本体３０の背面３０ｂ側に向けられたファン吸込口６から電動送風機２に吸い込まれる。
【００２５】
このように本体３０内の電動送風機２から遠ざかる方向に傾斜した空間に吸込風路９と、フィルターケース１１とが配置されている。そのため、吸込風路９およびフィルターケース１１のスペースが確保でき、本体３０の薄型化が可能となる。また、フィルターケース１１の表面積は大きくできるため、フィルターケース１１を通過する気流１９の速度が抑えられ、フィルターケース１１における圧力損失が低減される。
【００２６】
このように本発明の実施の形態１の手乾燥装置は薄型化されても、フィルターおよびフィルターケース１１による圧力損失が大きくなることはなく、吸込風路９の圧力損失も大きくなることはない。
【００２７】
なお本実施の形態１においては、フィルターケース１１通過後の吸込風路９は下面２１に接しない整流壁面２２によって形成されているが、整流壁面２２は下面２１に設けてもよい。この場合、フィルターケース１１は、本体３０の背面３０ｂに対向せず、本体３０の側面に対向して設けてもよい。
【００２８】
（実施の形態２）
本発明の実施の形態２では、実施の形態１と同じ構成要素には同一の符号を付してその詳細な説明を省略し、異なる点のみを説明する。図３は本発明の実施の形態２の手乾燥装置の側面断面図、図４は同手乾燥装置の背面斜視図である。
【００２９】
図３および図４に示すように実施の形態２の手乾燥装置は、実施の形態１の本体３０の下部に水受１２が設けられ、乾燥室１３が形成されている。すなわち本体３０の下部には、吹出ノズル３から吹き出した吹出気流４を受け、吹き飛ばした水を受ける水受１２が設けられている。水受１２と本体３０とが背面３０ｂ側において接続され、乾燥室壁面１４が形成されている。そして乾燥室１３が水受１２と、下面２１と、乾燥室壁面１４とに囲まれ形成されている。
【００３０】
このように本体３０はさらに、下面２１から下方に背面３０ｂに連なる乾燥室壁面１４と、乾燥室壁面１４に連なる水受１２とを備えている。
【００３１】
水受１２に向かって左右両側下部には、水受吸込口１５が設けられている。ここで、「向かって」とは、実施の形態１と同様に使用者が手５を挿入する際、本体３０に正対する方向である。乾燥室壁面１４の両側面には、水受吸込口１５と本体３０に設けた底面吸込口７とを連通する側面吸込風路１６が備えられている。
【００３２】
また、下面２１にフィルターケース１１を着脱する着脱口１８が設けられている。フィルターケース１１は、着脱口１８から乾燥室１３の手挿入口１３ａに向かって着脱できるように背面３０ｂに対して傾斜させて設けられている。
【００３３】
上記構成により、フィルターケース１１は、乾燥室１３の手挿入口１３ａ（前方の開口部分）に向けて引っ張るようにして外される。そのため、手５が水受１２に接触しにくくなり、フィルターケース１１は外される。
【００３４】
さらにフィルターケース１１は、背面３０ｂに対して傾斜して設けられているので、フィルターケース１１の面積は大きくでき、気流１９がフィルターまたはフィルターケース１１を通過しやすくなる。すなわち、フィルターケース１１のメンテナンスが容易になるとともに、吸込風路９の圧力損失が大きくなることがない。
【００３５】
このように本発明の実施の形態２の手乾燥装置によれば、本体３０が薄型化されても、吸込風路９の圧力損失が大きくなることがなく、メンテナンスも容易になる。
【００３６】
（実施の形態３）
本発明の実施の形態３では、実施の形態１、２と同じ構成要素には同一の符号を付してその詳細な説明を省略し、異なる点のみを説明する。図５は本発明の実施の形態３の手乾燥装置の側面断面図、図６は同手乾燥装置の一部分解背面斜視図である。
【００３７】
図５、図６に示すように水受けカップ５３は、水受吸込口１５の直下を避けて、水受１２の下に設けられる。例えば水受けカップ５３は、水受吸込口１５を塞がないように、水受吸込口１５の形状に沿う凹部形状である。
【００３８】
なお水受けカップ５３は図６では凹部形状であるが、水受吸込口１５の直下において水受けカップ５３に開口が設けられてもよい。
【００３９】
水受１２の背面３０ｂ側の下部には、水受吸込口１５が設けられている。また水受１２の底部に、排水口５１が設けられている。そして排水口５１から排水された水を受ける水受けカップ５３は、水受１２の下方、かつ水受吸込口１５の直下を避けて配置されている。水受けカップ５３は、本体３０から着脱可能である。
【００４０】
このように水受けカップ５３が、水受吸込口１５を塞がずに設けられることにより、吸込風路９の圧力損失が増加せずに、排水された水がある程度溜められる。その結果、メンテナンス頻度が少なくなり、圧力損失の増加による性能の低下が防がれる。
【００４１】
また、水受吸込口１５の直下の水受けカップ５３に、水受けカップフィルターケース５４が設けられている。その結果、水受吸込口１５からの異物侵入により吸込風路９が狭まることによる圧力損失の増加が防がれる。
【００４２】
また水受けカップ５３に溜まった水の排水時、水受けカップフィルターケース５４に配置したフィルターの清掃もできるため、フィルターの目詰まりも抑制される。このように異物の侵入による性能の低下が防止されるとともに、メンテナンスも容易になる。
【００４３】
また水受けカップカバー５２が、水受１２と水受けカップ５３との間に設けられている。水受けカップカバー５２は、水受けカップ５３の上面を覆う蓋形状であり、水受けカップ５３が着脱する。そして水受けカップカバー５２には、排水開口５５が設けられている。排水口５１から排水された水は、排水開口５５を通って水受けカップ５３に流れる。
【００４４】
水受けカップ５３に水受けカップカバー５２が設けられたことにより、メンテナンス時に水受けカップ５３に溜まった水が排水される際、水がこぼれにくくなる。
【産業上の利用可能性】
【００４５】
本発明の手乾燥装置は洗面所、トイレ、およびキッチン等において使用される手の乾燥目的以外に、ノズル構造を用いた設備乾燥機器への転用により、短時間に物体を乾燥させる工業用の乾燥用途にも適用できる。
【符号の説明】
【００４６】
１    壁面
２    電動送風機
３    吹出ノズル
４    吹出気流
５    手
６    ファン吸込口
７    底面吸込口
８    空気
９    吸込風路
９ａ    吸込口壁面
１０    合流部
１１    フィルターケース
１１ａ    上端部
１１ｂ    下端部
１２    水受
１３    乾燥室
１３ａ    手挿入口
１４    乾燥室壁面
１５    水受吸込口
１６    側面吸込風路
１８    着脱口
１９    気流
２１    下面
３０    本体
３０ａ    前面
３０ｂ    背面
５０    傾斜角
５１    排水口
５２    水受けカップカバー
５３    水受けカップ
５４    水受けカップフィルターケース
５５    排水開口
【図１】
2014156091.tif 000003
【図２】
2014156091.tif 000004
【図３】
2014156091.tif 000005
【図４】
2014156091.tif 000006
【図５】
2014156091.tif 000007
【図６】
2014156091.tif 000008
【図７】
2014156091.tif 000009
【国際調査報告】
2014156091.tif 000010
2014156091.tif 000011
2014156091.tif 000012
2014156091.tif 000013